(57)【特許請求の範囲】
【請求項１】
ＨＤＭＩ規格に適合する送受信部であって、外部に接続された機器と通信して、その機器の情報の提供を要求し、当該情報を受信する送受信部と、
前記機器から出力された映像を表示する表示部と、を備える映像出力装置において、
ベンダーＩＤと機器の製造者名称の文字列を対照する製造者名称対照テーブル、および、機器の論理アドレスと機器の種別の文字列を対照する機器種別対照テーブルを記憶する記憶部と、
前記製造者名称対照テーブル、機器種別対照テーブルに基づいて、前記送受信部が取得した情報を文字列に変換する文字列変換部と、を備え、
前記送受信部は、前記機器から前記機器の論理アドレスを受信すると共に、ベンダーＩＤの提供を前記機器に要求してベンダーＩＤを前記機器から受信し、前記論理アドレスを受信したときに、当該論理アドレスによっては機器の種別を取得できない場合には、物理アドレスを要求するコマンドを前記機器に送信して機器の種別を示す物理アドレスを前記機器から取得し、
前記文字列変換部は、前記製造者名称対照テーブルを用いて、前記送受信部が受信したベンダーＩＤを機器の製造者名称の文字列に変換すると共に、前記機器種別対照テーブルを用いて論理アドレスを又は物理アドレスを機器の種別の文字列に変換し、
前記表示部は、前記文字列変換部により変換された前記製造者名称および前記機器の種別を表示する映像表示装置。
【請求項２】
ベンダーＩＤが前記製造者名称対照テーブルに未登録である場合に、新たなベンダーＩＤと製造者名称の登録を受け付ける操作部を備え、
当該登録がなされると、前記データ記憶部は、前記製造者名称対照テーブルを更新する請求項１に記載の映像表示装置。
【請求項３】
前記表示部は、同種の機器であってかつ同一製造者の機器が複数接続されている場合には、これらを区別する表記を付加する請求項１〜２のいずれかに記載の映像表示装置。
【請求項４】
前記表示部は、ＨＤＭＩ端子の名称を併せて表示する請求項１〜３のいずれかに記載の映像表示装置。
【発明の詳細な説明】
【技術分野】
【０００１】
本発明は、ＨＤＭＩ−ＣＥＣ規格に従うテレビに関する。
【背景技術】
【０００２】
従来、ＨＤＭＩ−ＣＥＣ規格（以下、ＨＤＭＩ規格と称する。）に従うテレビが実用化されている。この規格ではデジタル形式で映像信号を送受信するほか、制御信号を送受信することが定められている。例えば、規格書のＣＥＣ１０等によれば、接続先の相手装置の論理アドレス、物理アドレスを要求することにより、装置の種別を把握できる。また、ベンダー（製造者）ＩＤを要求することもできる。
【０００３】
ここで、論理アドレス、物理アドレスの特徴について説明する。
機器の種別のみならず、複数の機器がは、論理アドレスを受信すると、相手装置のされている場合にこれらを区別できる。ただし、論理アドレスの識別数には限りがあり、同種の機器を４台以上接続すると、その他の機器「unregistered」に割り振られ、４台目の機器は、種別すら判別できない。
【０００４】
物理アドレスを受信すると、機器の種別（device type）を取得できるが、同一の機器が複数接続されていても、これを区別することができない。物理アドレスについては、装置それぞれの通信部が接続されたときに、これらの通信部は互いに交渉して、値を割り振り、通信部内部のＩＣには、記憶されている。ただし、これらの取り決めは、送受信部のＩＣチップレベルでなされるものであって、装置本体のシステムＩＣは、物理アドレス要求コマンドを出さない限り、これを把握できない。また、論理アドレスは、その他の制御時にデータを入力できるのに対し、物理アドレスは、わざわざその情報の取得のためにコマンドを送信しない限り、取得できない。
【０００５】
また、特許文献１〜４には、ＩＥＥＥ１３９４規格に従う映像処理装置であって、ネットワークシステムに繋がれた機器を一覧表示する装置等が開示されている。
【特許文献１】特開２００１−３１３８７５公報
【特許文献２】特開２００５−３４０９６８公報
【特許文献３】特開２００１−７８２４公報
【特許文献４】特開２０００−２８６８８０公報
【発明の開示】
【発明が解決しようとする課題】
【０００６】
しかしながら、従来、ＨＤＭＩ規格に従う映像処理装置等については、テレビに表示されるチャンネルは外部入力、またはＨＤＭＩ１、ＨＤＭＩ２などと表示されるだけで、その接続されている機器の内容まで表示されるものがなかった。また、ベンダー（製造者）ＩＤは、ＨＤＭＩ規格のライセンス元から各製造者に割り当てられているが、この内容は公開されていない。したがって、相手装置が同一の製造者のものであることがわかっても、相手装置の名称を表示することはなされていなかった。また、ＩＥＥＥ１３９４規格と異なって、ＨＤＩＭＩ機器については、相手装置の種別（プレーヤ、チューナ等）が表示されるものがなかった。
【０００７】
これは、ＨＤＭＩ規格に従う映像処理装置等については、ＩＥＥＥ１３９４規格と異なる特殊性があるからである。即ち、上記論理アドレス、物理アドレスを取得することで相手装置の種別を取得するという特徴にともなう困難性が生じる。例えば、ベンダーＩＤを相手装置から取得しても、ＩＤと対応する製造者が公開されていない以上、従来では、装置は、相手装置の製造者の名称を表示することができず、ベンダーＩＤだけを表示しても、ユーザにとってほとんど意味がなかった。
【０００８】
そこで、本発明は、外部入力の内容を表示する映像表示装置を提供することを目的とする。
【課題を解決するための手段】
【０００９】
上記課題を解決するために、以下の構成を備えることができる。
【００１０】
（１）  ＨＤＭＩ規格に適合する送受信部であって、外部に接続された機器と通信して、その機器の情報の提供を要求し、当該情報を受信する送受信部と、
前記機器から出力された映像を表示する表示部と、を備える映像表示装置において、
ベンダーＩＤと機器の製造者名称の文字列を対照する製造者名称対照テーブル、および、機器の論理アドレスと機器の種別の文字列を対照する機器種別対照テーブルを記憶する記憶部と、
前記製造者名称対照テーブル、機器種別対照テーブルに基づいて、前記送受信部が取得した情報を文字列に変換する文字列変換部と、を備え、
前記送受信部は、前記機器から前記機器の論理アドレスを受信すると共に、ベンダーＩＤの提供を前記機器に要求してベンダーＩＤを前記機器から受信し、前記論理アドレスを受信したときに、当該論理アドレスによっては機器の種別を取得できない場合には、物理アドレスを要求するコマンドを前記機器に送信して機器の種別を示す物理アドレスを前記機器から取得し、
前記文字列変換部は、前記製造者名称対照テーブルを用いて、前記送受信部が受信したベンダーＩＤを機器の製造者名称の文字列に変換すると共に、前記機器種別対照テーブルを用いて論理アドレスを又は物理アドレスを機器の種別の文字列に変換し、
前記表示部は、前記文字列変換部により変換された前記製造者名称および前記機器の種別を表示する。
【００１１】
この構成では、ベンダーＩＤ、論理アドレスを相手装置から受信して、記憶部に記憶した製造者名称対照テーブル、機器種別対照テーブルに基づいて、ベンダーＩＤ、論理アドレスをそれぞれ、製造者名称、機器の種別の文字列に変換している。したがって、表示部は、この変換結果を表示することができる。製造者名称対照テーブルは、例えば、各社の製品を接続して、各社に割り当てられたベンダーＩＤと、製造者名称を調査することで得られる。
なお、以上の製造者名称対照テーブル、機器種別対照テーブルは、必ずしもＳＱＬ、ＯＲＡＣＬＥ、ＡＣＣＥＳＳ等のデータベースで構築される必要はなく、対照可能にデータ化されていれば足り、例えば、テキストデータ、アスキーデータであっても良い。
また、物理アドレスについては、論理アドレスと異なり、ベンダーＩＤ要求コマンドを出力しただけでは、取得できず、別途コマンドを出力する必要がある。この構成では、「unregistered」の場合には、機器の種別を把握できない場合には、物理アドレスを要求するコマンドを出力する。
【００１２】
（２）  ベンダーＩＤが前記製造者名称対照テーブルに未登録である場合に、新たなベンダーＩＤと製造者名称の登録を受け付ける操作部を備え、
当該登録がなされると、前記データ記憶部は、前記製造者名称対照テーブルを更新する。
【００１３】
この構成では、ベンダーＩＤが第１テーブルに未登録である場合には、操作部は、ユーザから製造者名称の登録を受け付ける。例えば、文字列の入力や製造者の選択を受け付ける。これにより、ベンダーＩＤが第１テーブルに未登録であっても、一度登録されると、今後同じ製造者の製品が接続された場合には、ベンダーＩＤを製造者の文字列に変換できる。
【００１６】
（３）  前記表示部は、同種の機器であってかつ同一製造者の機器が複数接続されている場合には、これらを区別する表記を付加する。
【００１７】
これによれば、同種の機器であってかつ同一製造者の機器が複数接続されている場合に機器を区別することができる。
【００１８】
（４）  前記表示部は、ＨＤＭＩ端子の名称を併せて表示する。
【００１９】
これによれば、ユーザは、ユーザが接続した機器とそれが接続されているＨＤＭＩ端子とを対応させて把握することができる。
【発明の効果】
【００２０】
本発明によれば、外部入力の内容を表示することができ、ユーザの便宜に供する。
【発明を実施するための最良の形態】
【００２１】
図１は、この発明の一実施形態である映像再生システム１０の概要を示す。システム１０は、ＤＶＤレコーダ１０１、１０２、テレビ１、テレビ１のＴＶリモコン８０、ＨＤＭＩケーブル１０７、１０８を備える。レコーダ１０１、テレビ１は、ＨＤＭＩ−ＣＥＣ規格に準拠しており、ケーブル１０７、１０８を介して，デジタル形式の映像信号、音声信号、各種の制御信号を送受信する。
【００２２】
ＤＶＤレコーダ１０１、１０２は、記録媒体に記録された映像信号を再生し、これをテレビ１に出力する。また、レコーダ１０１、１０２は、内部の放送受信部により放送を受信して映像信号を記録する。テレビ１は、放送を受信して表示部に表示する。また、テレビ１は放送を受信するチャンネルのほかに外部から映像信号を入力する外部入力チャンネルを備える。テレビ１は、リモコン８０から外部入力チャンネルへの切換を受け付け、その外部入力の映像を表示する。外部入力は、ＨＤＭＩ端子の入力を含んでおり、リモコン８０は、この端子入力それぞれについてチャンネル切換を受け付ける。テレビ１は、外部入力への切換の指示を受けると、外部から映像信号の入力を受け付け、それを表示部に表示する。また、テレビ１、レコーダ１０１、１０２は、ＣＥＣ規格に定められたコマンドを送受信することにより、互いの各種の情報を取得する。
【００２３】
図２を用いて、本発明の実施形態であるテレビ１（テレビジョン）の例について説明する。テレビ１は、放送受信部１３、信号処理部１４、制御部１５、液晶パネル１６０を含む表示部１６、操作部１８、ＨＤＭＩ送受信部２を備える。また、テレビ１には、ＤＶＤレコーダ１０１、アンテナ１００が接続され、テレビ１は、リモコン８０により遠隔操作を受ける。
【００２４】
アンテナ１００は、テレビ１の背面に設けたコネクタを介して、放送受信部１３に接続されている。アンテナ１０１は、電波を受信する。放送受信部２は、デジタル放送受信部、アナログ放送受信部、放送受信部２内部を制御する受信制御部を備え、放送の映像信号、音声信号、文字情報を抽出する。デジタル放送受信部は、デジタル放送選局部、地上デジタルモジュール、デコーダを備える。
【００２５】
デジタル放送選局部は、チューナパック、地上デジタルモジュール、ＯＦＤＭ復調回路、誤り訂正回路を備え、所定の物理チャンネルの周波数帯域を増幅し、ＴＳ（Transport Stream）を出力する。チューナパックは、ＩＦフィルタ、ＩＦアンプ等を備えている。受信制御部は、設定処理１５４により、チャンネルテーブルを内部のフラッシュメモリ（不図示）に記憶している。
【００２６】
ＩＦフィルタ（intermediatefrequency）は受信制御部から指示された所定の物理チャンネルの信号を通す。ＩＦアンプは、この信号を増幅する。これにより、デジタル放送選局部は、受信制御部により指定されたチャンネルの放送信号を抽出する。また、ＯＦＤＭ復調回路は、入力された放送信号をデジタルデータであるＴＳ（トランスポートストリーム）へ、ＯＦＤＭ復調（Orthogonal Frequency Division Multiplexing）し、誤り訂正回路へ出力する。誤り訂正回路はＴＳの誤り情報を訂正して、地上デジタルモジュールへ出力する。
【００２７】
地上デジタルモジュールは、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。これらのパケットは、ＭＰＥＧ形式のデジタル映像信号で構成されている。デコーダは、モジュール内部のバッファメモリから映像信号のパケットを取り出して、映像信号をデコードする。
【００２８】
また、アナログ放送受信部は、アナログ放送選局部、映像受信部、色信号再生部を備える。アナログ放送選局部は、中間周波数を抽出するフィルタと、この中間周波数帯域を増幅する中間周波数増幅部を備え、所定の物理チャンネルの帯域の放送信号を増幅する。映像受信部は、映像帯域の周波数を増幅し、映像信号を抽出する。色信号再生部は、カラー映像信号から色信号を取り出し、ＲＧＢの３原色信号を生成する。同期検出回路は、カラー映像信号から水平同期信号、垂直同期信号を取り出す。
【００２９】
信号処理部１４は、デコーダ１４１（８／１６復調部、ＭＰＥＧデコーダ）、調整処理部１４２、ＯＳＤ合成部１４３を備えている。８／１６復調部は、記録／読取部４が読み取ったＲＦ信号について８／１６復調等を行い、誤り訂正を行って映像データと音声データを抽出する。ＭＰＥＧデコーダは、映像データと音声データを分離し、各々伸張する。
【００３０】
調整処理部１４２は、デコーダ４１でデコードした映像信号の輝度、アスペクト比、スケーリングの調整等を行う。なお、ＭＰＥＧデコーダ以外のフォーマットでエンコードされた映像信号をデコードするデコーダを備えていても良い。また、地上デジタルモジュールでＭＰＥＧ２−ＴＳをデコードした映像信号や、アナログ放送の出力については、放送受信部２の出力を、デコーダ１４１、調整処理部１４２を通さず、直接、ＯＳＤ合成部１４３に入力しても良い。
【００３１】
ＯＳＤ合成部１４３は、制御部９が発行するコマンドに基づいて文字、キャラクタ等のＯＳＤ（On-Screen Display）を合成する。ＯＳＤ合成部１４３は、内部に種々の画像データを記憶している。例えば、種々の文字列を表示するための文字、図形や設定処理１５４で表示するユーザインターフェース等の枠画像を記憶している。これらの枠画像と、文字、図形を合成してＯＳＤを出力する。ＭＰＥＧデコーダから映像信号が出力されている場合には、ＯＳＤ合成部１４３は、この映像信号とＯＳＤを合成し、第１ＨＤＭＩ送受信部２に出力する。場合によっては、ＯＳＤ合成部１４３は、映像信号の出力を禁止して、ＯＳＤのみを出力してもよい。
【００３２】
ＨＤＭＩ送受信部２は、ＨＤＭＩ-ＣＥＣ規格に準拠する送受信部であり、外部のＨＤＭＩ機器（ＤＶＤレコーダ１０１等）と信号を送受信する。送受信部２は、映像信号、音声信号、制御信号をデジタル形式で受信する。
【００３３】
また、ＨＤＭＩ送受信部２は、ＤＶＤレコーダ１０１が接続されると、この相手装置の送受信部と通信して、映像信号、相手方の装置の情報を受信する。相対する送受信部は、互いに交渉して、装置をきちんと区別できるように、アドレスが重なることがないように、装置の論理アドレスを決定する。アドレスが定まると、送受信部２は、ＣＥＣ規格に従って、制御信号を送信して、相手装置の情報を要求し、これを受信する。
【００３４】
表示部１６は、液晶パネル１６０、液晶パネル駆動回路１６１、液晶ドライバ１６１ａ、１６１ｂ、バックライト１６３、バックライト駆動回路１６４、スピーカ１６５を備える。液晶パネル１６０は、２枚の透明板と、その中に入れられた液晶と、２枚の透明板それぞれに張られた偏向板と、各画素の位置で液晶に電圧を印加するための透明電極を有する。それぞれ複数の液晶ドライバ１６１ａ、１６１ｂは、それぞれＤ／Ａ変換器を含んでおり、出力すべき各画素の色調に応じて、各々の画素に電圧を印加する。印加した電圧に応じて液晶分子が移動し、各々の画素において、液晶パネル１６０を透過する光の透過率が変わる。液晶パネル１６０は、内部に信号線、走査線が形成され、これらに対応してマトリクス状に画素が形成されている。信号線から、出力するＲＧＢの値に応じた電圧が印加され、保持される。各画素には、電子スイッチが形成されている。この電子スイッチは、走査線に電圧が出力されたことを条件にオンになり、信号線の電圧が各画素に印加される。これにより各画素を選択して、所定の電圧を印加することができる。
【００３５】
バックライト１６３は、液晶パネルの背面側に配置され、光を発する。これを、例えば冷陰極管（CCFL：Cold  Cathode  Fluorescent  Lamp）とすることができる。バックライト１６３の背面には、図示しない反射板が設けられており、液晶パネル１６０の表示面側に光を反射する。バックライト１６３により照らされた光は、液晶パネル１６０の表示面に透過する。ドライバ１６１ａ、１６１ｂにより、各画素の光の透過率が変わり、液晶パネル１６０の表示面に画像が表示される。
【００３６】
液晶パネル駆動回路１６１は、液晶ドライバ１６１ａ、１６１ｂバッファメモリと、パネルクロック生成回路等を備えている。ＯＳＤ合成部１４３から出力された映像信号をこのバッファメモリに一時的に記憶する。パネルクロック生成回路は、液晶パネル１６０の動作クロックであるパネルクロックを生成する。駆動回路１６１は、パネルクロックに同期して、バッファメモリに記憶した映像信号を順次取り出して、液晶ドライバ１６１ａ、１６１ｂに出力する。
【００３７】
バックライト駆動回路１６４は、高電圧を発生させてバックライト１６３に電圧を印加する。また、回路１６４は、バックライト１６３に出力する電圧を調整する回路を備えている。これにより、回路１６４は、表示部１０の明るさを調整する。
【００３８】
スピーカ１６５は、ＤＶＤレコーダ１０１から出力された音声信号を音声に変換する。なお、スピーカ１６５をテレビ１と別に構成しても良い。
【００３９】
制御部１５は、マイコンで構成し、ＣＰＵ１５１、ＲＡＭ１５２、制御データ格納用のＲＯＭ１５３を備える。制御部１５は、操作部１８で受け付けた入力に基づいて、受信部３、信号処理部４と、表示部１０の回路１６１、１６４の各部の動作を制御する。ＲＯＭ１５３は、例えばフラッシュメモリで構成する。ＲＯＭ１５３内には、設定処理１５４、ＣＥＣ処理１５５、チャンネル切換処理１５６、外部入力ＯＳＤ処理１５７を行うためのサブルーチンや、製造者名称対照テーブル１５８、機器種別対照テーブル１５９が記録されている。
【００４０】
設定処理１５４は、ＯＳＤを出力してチャンネル設定等の各種設定を受け付ける処理である。ＣＥＣ処理１５５は、ＨＤＭＩ送受信部２を用いて、ＨＤＭＩケーブルで接続された装置との間で、要求を送受信する処理である。以下の説明で、制御部１５から要求の送受信する場合にはこの処理を行う。チャンネル切換処理１５６は、チャンネル、外部入力を切り換える処理であり、放送受信部１３のチャンネルの切換のほか、外部に接続したＤＶＤレコーダ１０１の映像を表示する入力への切換を行う処理である。
【００４１】
チャンネル表示処理１５７は、処理１５６のサブルーチンであり、ＯＳＤ合成部１４３を用いて、現在アクティブなチャンネルの表示を表示部１６に出力する。処理１５７には、外部入力に切り換わった場合の１つの条件分岐として、外部入力チャンネル表示処理が含まれている。外部入力チャンネル表示処理には、外部入力検出処理を含む。外部入力検出処理は、相手装置の製造者名称、機器の種別を検出する処理である。この検出処理では、ＨＤＭＩ送受信部２を介して、レコーダ１０１の送受信部と通信することにより、ベンダーＩＤ、および、論理アドレスまたは物理アドレスを取得する。これら取得した情報は、ビット列であるから、この内容をユーザに知らせるためには、これを文字列に変換する必要がある。そこで、制御部１５は、ビットと、文字列を対照させた製造者名称対照テーブル１５８、機器種別対照テーブル１５９を用いて、ビット列を文字列へ変換する。テーブル１５８は、ベンダーＩＤと製造者名称の文字列を対照させたデータである。また、テーブル１５９は、ＨＤＭＩ規格書に基づいて論理アドレスまたは物理アドレスと機器の種別（チューナー、プレーヤ等）を対照させたものである。
【００４２】
操作部１８は、装置本体に対する操作を指示するための入力を受け付ける。操作部１８は、電源ボタンや、リモコン装置８０から送信されてきた装置本体に対する制御コードを受信するリモコン受信部１８１を有している。これにより、操作部１８は、ユーザにより操作された操作キーに応じた入力を受け付け、制御コードを制御部９に伝達する。また、操作部１８は、ＤＶＤレコーダ１０１、１０２の操作を受け付ける。
【００４３】
リモコン受信部１８１は、テレビ１を操作するためのリモコン８０からの赤外信号を受信し、制御部１５にリモコン信号を伝達する。
【００４４】
次に、図３、図４を用いて、論理アドレス、物理アドレスについて説明する。
【００４５】
図３に示すように、論理アドレスには、機器（device）の種別が割り振られている。種別としては、テレビ（TV）、録画機器または録音機器（Recording Device）、チューナ（Tuner）、再生機器（Playback Device）、オーディオシステム（Audio System）がある。ＨＤＭＩ送受信部２とＤＶＤレコーダ１０１の図示しない送受信部は、接続されると互いに交渉して、干渉がないようにこれらのアドレスを割り振る。制御部１５は、接続されているＨＤＭＩ端子すべてに、接続されているかどうか何らかのコマンドを送信する試行を行う。このとき、接続されている機器があれば、論理アドレスが返信されてくる。制御部１５が論理アドレスを取得すると、単に機器の種別だけでなく、複数の同じ種別の機器を区別することができる。ただし、チューナ以外は４台を超えて同じ種別の機器を区別することができない。４台以上接続された場合には、３台については区別できるが、４台目以降の機器については、論理アドレスが１５の「unregistered」に割り振られ、種別すら判別できない。
【００４６】
図４は、物理アドレスを要求するコマンド＜Give Physical Address＞を相手装置に出力したときに得られる「デバイスタイプ」（device type）である。デバイスタイプは、機器名称がコード化されており、文字列に変換するには、ＲＯＭ１５３内の機器種別対照テーブル１５９を用いて変換する。デバイスタイプは、機器の種別だけを判別するものであり、複数の同じ機器が接続されている場合には、この情報だけでは互いに区別できない。テレビ１は、ＨＤＭＩ端子のポートで同種の機器同士を区別する。
【００４７】
次に、図５を用いて、テレビ１の画面の表示例１〜４について説明する。図５（Ａ）〜（Ｄ）の例は、テレビ１がＨＤＭＩ端子で接続された機器から映像を入力できる状態にあり、その機器が接続され、その機器の情報を取得できる状態にあることを前提とする。図中、「ＦＵＮＡＩ」は製造者名称の例であり、「ＰＬＡＹＥＲ」は、機器の種別の例である。機器の種別は、ＨＤＭＩ−ＣＥＣ規格で定められた論理アドレス、物理アドレスで記述される種別のいずれかである。製造者名称、機器の種別は、「ＦＵＮＡＩ」、「ＰＬＡＹＥＲ」に限らず、接続している機器によって異なりうる。
【００４８】
図５（Ａ）の例１では、画面の隅に「ＦＵＮＡＩ  ＰＬＡＹＥＲ」と表示する。これを表示するための方法としては、ベンダーＩＤ要求コマンドを相手装置の「ＦＵＮＡＩ  ＰＬＡＹＥＲ」に送信する。そうすると、相手装置は、ベンダーＩＤ（製造者名称のＩＤ）と共に、論理アドレスを送信する。
【００４９】
ベンダーＩＤから製造者名称への変換は、製造者名称対照テーブル１５８を用いる。テーブル１５８には、ベンダーＩＤと製造者名称を対照したデータが記述されている。ベンダーＩＤは、一般に公表されていない。したがって、このテーブルの作成は、製造者が別の製造者の製品を調査することにより得られる。また、後述の図６の説明のとおり、未登録の製造者の製品については、ユーザから登録を受け付けても良い。このようにして、予め製品の出荷時に、ＲＯＭ１５３内にテーブル１５８が記録されているので、制御部１５は、相手装置からベンダーＩＤを受信すると、相手装置の製造者の文字列を取得できる。
【００５０】
また、論理アドレスには、相手装置の種別が含まれているから、「プレーヤ」、「チューナ」等を識別できる。もし、同一機種が４台以上接続されていた場合には、４台目については、識別できず「unregistered」になる。この場合には、物理アドレス要求コマンドを送信して、種別を把握できる。このように物理アドレスを要求する場合には、ＨＤＭＩ送受信部２が物理アドレス要求コマンドを別途、送信する必要がある。これは、論理アドレスのように、ベンダーＩＤ要求コマンドを送信すると同時に送られてくるものではない。
【００５１】
このようにして、ＨＤＭＩ端子１が「ＦＵＮＡＩ  ＰＬＡＹＥＲ」、ＨＤＭＩ端子２が「ＦＵＮＡＩ  ＴＵＮＥＲ」という風に、制御部１５は、ＲＯＭ内に端子名称と、製造者名称、機器種別を対応付けて記憶する（または制御部９外部にメモリを接続してこのメモリに記憶しても良い）。そして、ＯＳＤ合成部１４３は、この文字を映像に重ねて表示する。
【００５２】
図５（Ｂ）の例２は、同じ製造者、同じ種別の機器が複数接続されている場合には、
「ＦＵＮＡＩ  ＰＬＡＹＥＲ１」、「ＦＵＮＡＩ  ＰＬＡＹＥＲ２」という風に区別する表示を付して表示する。同じ種別の機器が４台以上接続されている場合には、「unregistered」になることがある。この場合には、ＨＤＭＩ送受信部２は、物理アドレスを相手装置に要求して種別を取得する。この場合でも、同じ種別の装置であっても、製造者が異なれば、それぞれ別々に連番を付すようにしてもよい。これにより、接続機器を区別して表示する。
【００５３】
図５（Ｃ）の例３は、同じ種別の機器が４台以上接続されている例を示す。この場合、４代目以降はすべて「unregistered」になる。この場合、前述のとおりＨＤＭＩ送受信部２は、物理コマンドをＤＶＤレコーダ１０１に送信する。また、制御部１５は、ＨＤＭＩ端子のどのポートに接続されているかを調査することにより、機器を区別する。
【００５４】
図５（Ｄ）の例４は、ＨＤＭＩ端子のポート番号と共に、製造者、機器の種別を表示する例を示す。この場合においても、製造者、機器の種別を表示については、図５（Ａ）〜（Ｃ）の表示例を準用できる。
【００５５】
次に図６を用いて、製造者名称対照テーブル１５８に製造者名称が未登録である機器が接続された場合について説明する。図６は、この場合に表示する画面の例である。図６のように、例えば「接続機器のメーカは、登録されていません。メーカ名入力？」と表示して、リモコン８０ｂから文字列の入力を受け付ける。「■」は、文字入力が可能な位置、即ちカーソル位置を示す１例である。制御部１５は、この位置で文字列の入力を受け付ける。ベンダーＩＤは、製造者に固有であるから、ユーザが一度登録すると、同じ製造者については、別の種別の機器が接続されても、ユーザは再度登録する必要はない。
【００５６】
なお、論理アドレスから、機器の種別を取得できるので、図６のように、機器の種別をテレビ１の画面の隅に表示するようにしてもよい。
【００５７】
次に図７のフロー図を用いて、装置１の外部入力表示処理（図２の処理１５７の一部）について説明する。ＳＴ１〜ＳＴ８が図２で説明した外部入力検出処理である。
ＳＴ１：ＨＤＭＩ送受信部２は、ＤＶＤレコーダ１０１へ、ベンダーＩＤ要求コマンドを出力する。これにより、レコーダ１０１は、ベンダーＩＤと、論理アドレスを送信する。
ＳＴ２：送受信部２は、ベンダーＩＤと、論理アドレスを受信する。
ＳＴ３：製造者名称対照テーブル１５８を参照して、ベンダーＩＤを製造者名称の文字列に変換する。
【００５８】
ＳＴ４：論理アドレスが１５（unregistered）（図３参照）であるかどうか判断する。論理アドレスが１５（unregistered）である場合のみ（ＳＴ１５のＹＥＳ）、ＳＴ５、ＳＴ６を実行する。
ＳＴ５：送受信部２は、物理アドレス要求コマンドをレコーダ１０１の送受信部に送信する。レコーダ１０１の送受信部は、物理アドレス、デバイスタイプを送信する。
【００５９】
ＳＴ６：ＨＤＭＩ送受信部２は、デバイスタイプを受信する。
【００６０】
ＳＴ７：ＲＯＭ１５３内の機器の種別（チューナ、プレーヤ等）を対応させるテーブルにより、論理アドレスまたは物理アドレスを機器の種別の文字列へ変換する。
ＳＴ８：製造者、種別と、ＨＤＭＩのポート番号とを関連付けてＲＯＭ１５３に記録する。または、図示しない外部のフラッシュメモリを設けてこれに記録してもよい。
【００６１】
ＳＴ９：ＨＤＭＩ端子入力に接続された機器の情報（製造者、種別の文字列）をＯＳＤ合成部１４３へ出力する。ＯＳＤ合成部１４３は、文字列の画像を映像信号に合成して、表示部１６に出力する。
【００６２】
なお、図７のフローでは、ＳＴ４〜ＳＴ７をＳＴ３の後で実行しているが、ＳＴ３と、ＳＴ４〜ＳＴ７は、並列であっても良いし、ＳＴ３をＳＴ４〜ＳＴ７の後で実行しても良い。
【００６３】
以下、以上の実施形態について補足説明を行う。
【００６４】
以上では、映像信号出力機器として、ＤＶＤレコーダ１０１を用いて説明した。しかし、本発明の実施形態としては、ＤＶＤレコーダ１０１でなくとも、映像信号を出力でき、かつ、複数の映像信号の入力から当該機器の映像を表示できるように、入力切換の要求をテレビ１に送信できればよい。例えば、ＤＶＤレコーダ１０１の代わりに、ＴＶゲーム、ビデオカメラ、デジタルカメラでもよい。
【００６５】
また、本発明の実施形態としては、ＤＶＤレコーダ１０１でなく、再生専用のプレーヤを接続しても良い。また、別の映像信号出力機器（ＴＶゲーム、ビデオカメラ、デジタルカメラ）を接続してもよい。
【００６６】
また、本発明の実施形態として、デジタル放送受信部は、ＴＳでなく、ＰＳ（プログラムストリーム）を受信する形態でもよい。放送受信部２、１３は、必ずしも、デジタル放送受信部、アナログ放送受信部の両方を備える必要はない。また、内部に受信部を備えなくてもよい。  複数の映像信号の入力からＤＶＤレコーダ１０１の映像を表示できるように入力切換できればよく、テレビ１の代わりに、モニタであっても良い。
【００６７】
必ずしも放送受信部２を要しない。また、映像を表示する手段としては、テレビ１のように液晶モニタでなくとも、プラズマモニタ、ＥＬモニタ、ブラウン管、プロジェクタなどで構成するようにしてもよい。
【００６８】
図２では、構成を機能ごとに分離したブロックで説明したが、実装上は、これらの機能のうち、いずれかが複数の機能が一体となったシステムＩＣで構成してもよいし、一つのブロックを複数に分離して構成してもよい。例えば制御部１５、信号処理部１４を、これらを一体としたシステムＩＣで構成しても良い。
【００６９】
図１では、テレビ１に対し、２台の外部機器を接続しているが、外部機器は、少なくとも１台接続していれば、本実施形態を適用できる。外部機器は、図１のようにＤＶＤレコーダ１０１でなくてもよく、チューナ、ゲーム機器、ビデオカメラ、カメラなど映像を出力する機器であって、ＨＤＭＩ送受信部を備えるものであればどのようなものでも適用できる。
【００７０】
製造者名称対照テーブル１５８、機器種別対照テーブル１５９が記録されたＲＯＭ１５３は、本発明の「データ記憶部」に相当する。。テーブル１５８、１５９を記憶する記憶部は、制御部１５がアクセス可能に接続されていれば良く、制御部１５の外部でも良い。
操作部１８、リモコン８０は、本発明の「操作部」に相当する。操作部１８は、テレビ１を操作するための本体操作子を設けても良い。
図４の説明では、製造者名称と機器の種別を画面上の右上に表記したが、それ以外の位置でも良く、表示されていれば良い。
図６の表示例は１例であり、新規に製造者名称を登録できる形態であればどのような形態であってもよい。
【図面の簡単な説明】
【００７１】
【図１】本実施形態の映像再生システムの概略構成を表わしている。
【図２】本実施形態のＴＶの構成例を示す。
【図３】ＨＤＭＩ−ＣＥＣ規格の論理アドレスの一覧である。
【図４】ＨＤＭＩ−ＣＥＣ規格のデバイスタイプの一覧である。
【図５】本実施形態のＴＶの表示例を示す。
【図６】本実施形態のＴＶの表示例を示す。
【図７】本実施形態のＴＶの外部入力表示処理を示す。
【符号の説明】
【００７２】
１０−映像再生システム、  １０１−ＤＶＤレコーダ、  １０２−ＤＶＤレコーダ、
１００−アンテナ、  １−テレビ、  １３−放送受信部、
２−ＨＤＭＩ送受信部、  １４−信号処理部、
１４１−デコーダ、  １４２−調整処理部、  １４３−ＯＳＤ合成部、
１５−制御部、  １５１−ＣＰＵ、  １５２−ＲＡＭ、  １５３−ＲＯＭ、
１５４−設定処理、  １５７−ＣＥＣ処理、
１５６−チャンネル切換処理、  １５７−外部入力ＯＳＤ処理、
１５８−製造者名称対照テーブル、  １５９−機器種別対照テーブル、
１６−表示部、  １６０−液晶パネル、  １６１ａ、  １６１ｂ−液晶ドライバ、
１６１−液晶パネル駆動回路、  １６３−バックライト、
１６４−バックライト駆動回路、  １６５−スピーカ、
１８−操作部、  １８１−リモコン受信部、  ８０−リモコン、
【図１】
0004502031.tif 000002
【図２】
0004502031.tif 000003
【図３】
0004502031.tif 000004
【図４】
0004502031.tif 000005
【図５】
0004502031.tif 000006
【図６】
0004502031.tif 000007
【図７】
0004502031.tif 000008